(57)【要約】      （修正有）【課題】手摺りの加熱に際し、乗客へのサービスを低下させることなく、省エネルギーを可能にするエレベーター設備を提供する。【解決手段】乗かご１内及び／又は乗り場の乗降口近傍に設けた手摺り２、４と、この手摺り２，４を加熱するヒータ３とを備え、かつエレベーター起動スイッチ５の投入時に動作しヒータ３の加熱時間を設定する加熱時間設定手段７を設けたのである。この構成によれば、スイッチの投入し忘れによる手摺り加熱の不実行が防止されるので、利用者へのサービスを低下させることはなく、また、必要時にのみ手摺りの加熱を行うことができるので、無駄な電力を消費することはなく、省エネルギー効果を奏することができる。【選択図】図１
2006290524.tif 000002
【特許請求の範囲】
【請求項１】
昇降路内を昇降する乗かご内に設けた手摺り及び／又は乗り場の乗降口近傍に設けた手摺りと、この手摺りを加熱するヒータとを備えたエレベーター設備において、エレベーター起動スイッチ投入時に動作し前記ヒータの加熱時間を設定する加熱時間設定手段を設けたことを特徴とするエレベーター設備。
【請求項２】
昇降路内を昇降する乗かご内に設けた手摺り及び／又は乗り場の乗降口近傍に設けた手摺りと、この手摺りを加熱するヒータとを備えたエレベーター設備において、エレベーター起動スイッチ投入時に動作し前記ヒータの加熱時間を設定する加熱時間設定手段と、前記ヒータの加熱温度を調節する温度調節器とを設けたことを特徴とするエレベーター設備。
【請求項３】
昇降路内を昇降する乗かご内に設けた手摺り及び／又は乗り場の乗降口近傍に設けた手摺りと、この手摺りを加熱するヒータとを備えたエレベーター設備において、エレベーター起動スイッチ投入時に動作し前記ヒータの加熱時間と加熱温度を設定する加熱時間設定手段と、周辺温度を検出する温度計測器とを備え、前記温度計測器の測定温度に基づいて前記加熱時間設定手段の加熱温度を設定するように構成したことを特徴とするエレベーター設備。
【請求項４】
前記加熱時間設定手段は、一日単位の加熱時間が設定されていることを特徴とする請求項１，２又は３記載のエレベーター設備。
【請求項５】
前記加熱時間設定手段は、月単位の加熱時間が設定されていることを特徴とする請求項１，２又は３記載のエレベーター設備。
【発明の詳細な説明】
【技術分野】
【０００１】
本発明はエレベーター設備に係り、特に、乗かご内に設けた手摺り及び／又は乗り場の乗降口近傍に設けた手摺りを加熱して寒冷期の利用客へのサービスを行うエレベーター設備に関する。
【背景技術】
【０００２】
乗かご内に設けた手摺りを加熱して寒冷期の利用客へのサービスを行うエレベーター設備は、例えば、特許文献１に示すように、既に提案されている。提案されているエレベーター設備は、乗かご内の操作盤に設けられたスイッチを投入することで、手摺りに設けたヒータへの通電を開始させ、サーモスタット等の温度制御手段で設定された温度を維持するものである。
【０００３】
【特許文献１】実願昭６２−７８２４号（実開昭６３−７６７７８号）のマイクロフィルム）
【発明の開示】
【発明が解決しようとする課題】
【０００４】
上記従来のエレベーター設備は、管理人等がスイッチの投入を行うことで手摺りの加熱を行っているため、管理人等の操作者が手摺り加熱用スイッチを入れ忘れた場合には、手摺りが加熱されず、その結果、特に冬季時に利用者に対して冷感を与えてサービスを低下させる問題がある。また、時間帯によってはエレベーターの利用者がいない場合があるが、その間も手摺りを加熱しているので、省エネルギーに反することになる。さらに、間違って、夏期時に手摺り加熱用スイッチを投入して手摺りの加熱を行った場合は、利用者に不快感を与えたりしてサービスを低下させると共に、省エネルギーに逆行することになる。
【０００５】
本発明の目的は、手摺りの加熱に際し、乗客へのサービスを低下させることなく、省エネルギーを可能にするエレベーター設備を提供することにある。
【課題を解決するための手段】
【０００６】
本発明は上記目的を達成するために、昇降路内を昇降する乗かご内に設けた手摺り及び／又は乗り場の乗降口近傍に設けた手摺りと、この手摺りを加熱するヒータとを備えたエレベーター設備において、エレベーター起動スイッチ投入時に動作し前記ヒータの加熱時間を設定する加熱時間設定手段を設けたのである。
【０００７】
上記構成とすることで、スイッチの投入し忘れによる手摺りの加熱が行われなくなることは防止されるので、利用者へのサービスを低下させることはなく、また、夏期時や利用客がいない時間帯には手摺りの加熱を行わないように設定できるので、手摺りを不用意に加熱して無駄な電力を消費することはなく、省エネルギー効果を奏することができる。
【発明の効果】
【０００８】
以上説明したように本発明によれば、手摺りの加熱に際し、乗客へのサービスを低下させることなく、省エネルギーを可能にするエレベーター設備を得ることができる。
【発明を実施するための最良の形態】
【０００９】
以下本発明によるエレベーター設備の一実施の形態を図１に基づいて説明する。
【００１０】
建築構造物内に構成された昇降路内を昇降する乗かご１内には、乗かご手摺り２が設けられており、その内部あるいは表面にヒータ３が設けられている。また、乗り場側の乗降口近傍にも乗り場手摺り４が設けられ、その内部あるいは表面にヒータ３が設けられている。このヒータ３は、乗かご手摺り２及び乗り場手摺り４を中空に形成してその内側に設置してもよいが、製造を容易にしたり、改修を容易にしたりする意味では、乗かご手摺り２及び乗り場手摺り４の外周部に取り付けるようにしてもよい。
【００１１】
５はエレベーター起動スイッチで、機械室や昇降路内又は乗り場の乗降口を区画する三方枠の内側、あるいは管理人室（図示せず）に設けられており、このエレベーター起動スイッチ５を投入することで、呼びや行き先階登録に基づいて乗かご１の昇降が可能となる。一方、エレベーター起動スイッチ５の投入により、例えば機械室あるいは昇降路内に設置された制御装置６も動作し、加熱時間設定手段である中央演算処理装置７が起動する。
【００１２】
中央演算処理装置７は、前記乗かご手摺り２や乗り場手摺り４の加熱温度が設定されていると共に、一日単位の加熱時間、例えば、エレベーター設備が病院に設置されている場合には、月曜日から日曜日間での午前７時〜午後９時の間、前記乗かご手摺り２や乗り場手摺り４が加熱されるようにプログラムされ、また、エレベーター設備が図書館に設置されている場合には、休日を除く日の午前９時〜午後３時の間、前記乗かご手摺り２や乗り場手摺り４が加熱されるようにプログラムされている。さらに、この中央演算処理装置７は、前記乗かご手摺り２や乗り場手摺り４の加熱保温が不要となる期間（例えば５月〜１０月）を除く１１月〜４月の期間に前記乗かご手摺り２や乗り場手摺り４が加熱保温されるように、月単位の加熱時間がプログラムされている。これら一日単位の加熱時間や週単位の加熱時間、さらには月単位の加熱時間を、エレベーター設備の設置場所に応じて、適宜組み合わせてプログラムすることにより、利用者に対する木目細かいサービスと省エネルギーを図ることができる。
【００１３】
前記中央演算処理装置７は、プログラムされた加熱温度と加熱時間に基づいて通電手段８に通電許可を与え、通電手段８は、この通電許可によってヒータ３に通電を始め、ヒータ３を発熱させて前記乗かご手摺り２や乗り場手摺り４を加熱する。
【００１４】
また、前記乗かご手摺り２や乗り場手摺り４のヒータ３の近傍には例えば熱伝対からなる測温体（図示せず）が設置されており、この測温体からの信号を温度検出器９で計測し、測温結果を前記中央演算処理装置７に出力する。前記中央演算処理装置７に入力された測温結果は、設定された加熱温度と比較され、その結果に基づいて前記通電手段８へヒータ３への通電又は通電遮断の指令を出す。
【００１５】
次に、上記のように構成したエレベーター設備における乗かご手摺り２や乗り場手摺り４の昇温フローを図２に基づいて説明する。
【００１６】
始業時に管理人が、エレベーター起動スイッチ５を投入（Ｓ１）すると、乗かご１が昇降可能となる（Ｓ２）。この状態で、乗り場側の呼びボタンや乗かご１内の行き先階床ボタンが押されて登録されると、登録された内容にしたがって乗かご１は昇降する。これらと同時に、制御装置６が機能し、中央演算処理装置７が作動する（Ｓ３）。
【００１７】
中央演算処理装置７の作動により、プログラムされている手摺りを加熱してよい月か（Ｓ４）、加熱してよい曜日か（Ｓ５）、加熱してよい時間帯か（Ｓ６）を判断し、よいと判断された場合（Ｙ）には、通電手段８に通電指令を出してヒータ３への通電を開始させる（Ｓ７）。
【００１８】
通電手段８による通電が開始されると、乗かご手摺り２や乗り場手摺り４に設けられたヒータ３が発熱して昇温する（Ｓ８）。そして、温度検出器９によって設定された温度に乗かご手摺り２や乗り場手摺り４が昇温されたことが確認されると（Ｓ９）、その温度が設定温度に保温されているかを温度検出器９によって監視し（Ｓ１０）、設定温度の保持されていれば、そのままエレベーターの運転を継続する。エレベーターの運転継続中に、中央演算処理装置７で設定された加熱時間が経過すると（Ｓ１１）、通電手段８による通電を遮断して乗かご手摺り２や乗り場手摺り４の加熱を停止する（Ｓ１２）。その後、エレベーターの利用時間が経過すると（Ｓ１３）、管理人はエレベーター起動スイッチ５を遮断し（Ｓ１４）、終業となる。
【００１９】
上記昇温フローにおいて、中央演算処理装置７にプログラムされている手摺りを加熱してよい月か（Ｓ４）、加熱してよい曜日か（Ｓ５）、加熱してよい時間か（Ｓ６）を判断し、加熱時期でないと判断された場合（Ｎ）には、通電手段８に通電指令を出さずに、Ｓ３の中央演算処理装置７に戻り、手摺りを加熱してよい月、曜日、時間になることを確認し続ける。さらに、Ｓ９の設定温度になっていない場合（Ｎ）やＳ１０の設定温度に保温されていない場合（Ｎ）、さらにはＳ１１の加熱時間帯を経過していない場合（Ｎ）には、Ｓ３の中央演算処理装置７に戻り、設定温度に保持されて保温できるようにまで通電手段８によるヒータ３への通電を制御し続ける。
【００２０】
以上説明したように、エレベーター起動スイッチ５を投入するだけで、エレベーター設備の設置場所に応じて、中央演算処理装置７に入力されたプログラムにしたがった月、曜日、時間帯に手摺りを適正に加熱保温できるので、乗客へのサービスを低下させることなく、省エネルギーを可能にすることができる。
【００２１】
尚、上記実施の形態は、中央演算処理装置７で設定した温度及び設定した月、曜日、時間帯によって手摺りの加熱保温を行うものであるが、月、曜日、時間帯による３つの時間はすべて必要ではなく、月、曜日、時間帯のいずれか一つに基づいて手摺りを加熱保温してもよく、いずれか二つに基づいて加熱保温してもよい。
【００２２】
ところで、上記実施の形態においては、手摺りの加熱温度が中央演算処理装置７で予め設定されている。しかし、例えば冬期時においても気温が高い場合や極端に低い場合があり、その日の気温によって手摺りの加熱温度を変更したいことがある。そのような場合には、温度調節器１０を例えば乗かご１内や乗り場あるいは管理人室に設けて、手動操作によってその日の気温に合った加熱温度に中央演算処理装置７の設定温度を変更するようにしてもよい。さらに、温度調節器１０の代わりに温度計測器を設け、温度計測器によって計測された気温に応じて自動的に中央演算処理装置７の設定温度を変更するようにしてもよい。
【図面の簡単な説明】
【００２３】
【図１】本発明によるエレベーター設備を示すブロック図。
【図２】図１に設けられた乗かご手摺りと乗り場手摺りの昇温工程を示す昇温フロー図。
【符号の説明】
【００２４】
１…乗かご、２…乗かご手摺り、３…ヒータ、４…乗り場手摺り、５…エレベーター起動スイッチ、６…制御装置、７…中央演算処理装置（加熱時間設定手段）、８…通電手段、９…温度検知器、１０…温度調節器（温度計測器）。
【図１】
2006290524.tif 000003
【図２】
2006290524.tif 000004